(57)【特許請求の範囲】
【請求項１】
無線周波数の信号をダイバシティ受信する第１受信部及び第２受信部を備え、
前記第１受信部は受信した前記無線周波数の信号を前記無線周波数よりも高い第１周波数の局部信号によってアッパーローカルで第１中間周波数のＩＦ信号に変換する第１混合器と、この混合器の出力側に接続された第１フィルタとを有し、
前記第２受信部は受信した前記無線周波数の信号を前記無線周波数よりも低い第２周波数の局部信号によってローワーローカルで第２中間周波数のＩＦ信号に変換する第２混合器と、この第２混合器の出力側に接続された第２フィルタとを有し、
前記第１受信部と前記第２受信部の少なくとも一方の出力側に接続されると共にサンプリング周波数のサンプリング信号によりアナログ信号をデジタル信号に変換するＡＤ変換器を備え、
前記サンプリング周波数は、前記第１周波数と前記第２周波数との差の周波数以外である受信装置。
【請求項２】
無線周波数の信号をダイバシティ受信する第１受信部及び第２受信部を備え、
前記第１受信部は、前記無線周波数の信号が入力される第１アンテナ端子と、前記無線周波数より第１中間周波数分高い第１周波数の局部信号を発振する第１局部発振器と、この第１局部発振器からの前記第１周波数の局部信号によって前記第１アンテナ端子からの前記無線周波数の信号を前記第１中間周波数のＩＦ信号に変換する第１混合器と、この第１混合器の出力側に接続された第１フィルタとを有し、
前記第２受信部は、前記無線周波数の信号が入力される第２アンテナ端子と、前記無線周波数より第２中間周波数分低い第２周波数の局部信号を発振する第２局部発振器と、この第２局部発振器からの前記第２周波数の局部信号によって前記第２アンテナ端子からの前記無線周波数の信号を前記第２中間周波数のＩＦ信号に変換する第２混合器と、この第２混合器の出力側に接続された第２フィルタとを有し、
前記第１受信部と前記第２受信部の少なくとも一方の出力側に接続されると共にサンプリング周波数のサンプリング信号によりアナログ信号をデジタル信号に変換するＡＤ変換器を備え、
前記サンプリング周波数は、前記第１周波数と前記第２周波数との差の周波数以外である受信装置。
【請求項３】
前記第１フィルタは、前記第１混合器からの信号のうち前記第１中間周波数の信号を通過させると共に前記第１周波数と前記第２周波数との差の周波数の信号を減衰し、
前記第２フィルタは、前記第２混合器からの信号のうち前記第２中間周波数の信号を通過させると共に前記第１周波数と前記第２周波数との差の信号を減衰する請求項１または請求項２に記載の受信装置。
【請求項４】
前記第１混合器及び前記第２混合器は共にイメージ妨害信号を除去するイメージリジェクションミキサである請求項１または請求項２に記載の受信装置。
【請求項５】
前記第１混合器は、前記第１アンテナ端子の出力側に接続されると共に互いに所定角度の位相差を持った局部信号を受ける２つの混合器を備え、前記２つの混合器から出力されたＩＦ信号のうち、位相が前記所定角度遅れている一方のＩＦ信号の位相を進ませて他方のＩＦ信号と同位相にし、この位相を進ませたＩＦ信号と、他方のＩＦ信号とを加算したＩＦ信号を前記第１フィルタに供給する第１イメージリジェクションミキサであり、
前記第２混合器は、前記第２アンテナ端子の出力側に接続されると共に互いに所定角度の位相差を持った局部信号を受ける２つの混合器を備え、前記２つの混合器から出力されたＩＦ信号のうち、位相が前記所定角度進んだ一方のＩＦ信号の位相をさらに進ませて他方のＩＦ信号と同位相にし、この位相を進ませたＩＦ信号と、他方のＩＦ信号とを加算したＩＦ信号を前記第２フィルタに供給する第２イメージリジェクションミキサである請求項１または請求項２に記載の受信装置。
【請求項６】
前記所定角度は９０度である請求項４または請求項５に記載の受信装置。
【請求項７】
前記第１受信部は、前記第１アンテナ端子と前記第１混合器との間に接続されると共に前記無線周波数に２倍の前記第１中間周波数を足した周波数の信号を減衰する第１入力フィルタを有し、
前記第２受信部は、前記第２アンテナ端子と前記第２混合器との間に接続されると共に前記無線周波数から２倍の前記第２中間周波数を引いた周波数の信号を減衰する第２入力フィルタを有する請求項２に記載の受信装置。
【請求項８】
前記第１受信部からのＩＦ信号と前記第２受信部からのＩＦ信号とを復調する復調部を備え、
この復調部は、これらのＩＦ信号のうち、一方のＩＦ信号の周波数スペクトルを反転する請求項１または請求項２に記載の受信装置。
【請求項９】
前記第１受信部が受信した信号の受信品質と前記第２受信部が受信した信号の受信品質とを検出する検波部と、
前記検波部による検出結果に基づいて、前記第１受信部をアッパーローカル式周波数変換方法からローワーローカル式周波数変換方法に切り替えると共に前記第２受信部をローワーローカル式周波数変換方法からアッパーローカル式周波数変換方法に切り替える切替回路とを備えた請求項１または請求項２に記載の受信装置。
【請求項１０】
前記イメージリジェクションミキサ内の前記２つの混合器に局部信号を供給する移相器を、前記局部発振器からの局部信号を前記所定角度進めるか前記所定角度遅らすかを切替可能とした請求項４または請求項５に記載の受信装置。
【請求項１１】
無線周波数の信号をダイバシティ受信する第１受信部及び第２受信部と、前記第１受信部及び前記第２受信部の出力側に接続された復調部と、この復調部の出力側に接続された信号処理部と、この信号処理部の出力側に接続された表示部とを備え、
前記第１受信部は、前記無線周波数の信号が入力される第１アンテナ端子と、前記無線周波数より第１中間周波数分高い第１周波数の局部信号を発振する第１局部発振器と、この第１局部発振器からの前記第１周波数の局部信号によって前記第１アンテナ端子からの前記無線周波数の信号を前記第１中間周波数のＩＦ信号に変換する第１混合器と、この第１混合器の出力側に接続された第１フィルタとを有し、
前記第２受信部は、前記無線周波数の信号が入力される第２アンテナ端子と、前記無線周波数より第２中間周波数分低い第２周波数の局部信号を発振する第２局部発振器と、この第２局部発振器からの前記第２周波数の局部信号によって前記第２アンテナ端子からの前記無線周波数の信号を前記第２中間周波数のＩＦ信号に変換する第２混合器と、この第２混合器の出力側に接続された第２フィルタとを有し、
前記第１受信部と前記第２受信部の少なくとも一方の出力側に接続されると共にサンプリング周波数のサンプリング信号によりアナログ信号をデジタル信号に変換するＡＤ変換器を備え、
前記サンプリング周波数は、前記第１周波数と前記第２周波数との差の周波数以外である電子機器。
【発明の詳細な説明】
【技術分野】
【０００１】
本発明は、信号を受信する受信装置とこれを用いた電子機器に関するものである。
【背景技術】
【０００２】
以下、従来の受信装置について図５を用いて説明する。図５において、従来の受信装置１は、外部からの無線周波数の信号をダイバシティ受信する第１受信部２及び第２受信部３を備えている。そして、第１受信部２及び第２受信部３は、外部からの無線周波数の信号をアッパーローカルもしくはローワーローカルのいずれか一方の方法で中間周波数のＩＦ信号に変換する第１混合器４及び第２混合器５をそれぞれ有する。また、第１受信部２及び第２受信部３は、第１混合器４の出力側及び第２混合器５の出力側にそれぞれ接続された第１フィルタ６及び第２フィルタ７を有する。
【０００３】
なお、この出願の発明に関連する先行技術文献情報としては、例えば、特許文献１が知られている。
【特許文献１】特開２００５−１３０２７９号公報
【発明の開示】
【発明が解決しようとする課題】
【０００４】
この従来の受信装置１において、第１混合器４に供給される局部信号の周波数と第２混合器５に供給される局部信号の周波数とは略同一であり、相互の周波数差は微小であった。その為、第１混合器４に供給される局部信号と第２混合器５に供給される局部信号とがそれぞれ他方の第２混合器５と第１混合器４にノイズとして混入すると、これら他方の第２混合器５と第１混合器４ではビートノイズが発生する。そして、このビートノイズは、非常に低い周波数で発生し、中間周波数に近いノイズ周波数となるため、それぞれ第１フィルタ６や第２フィルタ７では除去することが難しく、受信装置１の受信性能が悪化するという問題があった。
【０００５】
そこで本発明は、このような問題を解決したもので、受信装置の受信性能を向上させることを目的とする。
【課題を解決するための手段】
【０００６】
この目的を達成するために本発明の受信装置は、無線周波数の信号をダイバシティ受信する第１受信部及び第２受信部を備える。そして、第１受信部は受信した無線周波数の信号をアッパーローカルで第１中間周波数のＩＦ信号に変換する第１混合器と、この第１混合器の出力側に接続された第１フィルタとを有し、また、第２受信部は受信した無線周波数の信号をローワーローカルで第２中間周波数のＩＦ信号に変換する第２混合器と、この第２混合器の出力側に接続された第２フィルタとを有し、第１受信部と第２受信部の少なくとも一方の出力側に接続されると共にサンプリング周波数のサンプリング信号によりアナログ信号をデジタル信号に変換するＡＤ変換器を備え、サンプリング周波数は、第１周波数と第２周波数との差の周波数以外である。
【発明の効果】
【０００７】
上記構成により、第１混合器に供給される局部信号と第２混合器に供給される局部信号との周波数差を、大きくすることができる。その為、第１混合器に供給される局部信号と第２混合器に供給される局部信号とがそれぞれ他方の第２混合器と第１混合器とにノイズとして混入しても、それぞれ第１フィルタや第２フィルタで除去することが可能になり、受信装置の受信性能を向上させることができる。また、ビートノイズが、サンプリング信号に混入することによって起こる受信品質劣化を抑制することができる。
【発明を実施するための最良の形態】
【０００８】
（実施の形態１）
以下、本発明における実施の形態１について図１を用いて説明する。図１は、本発明の実施の形態１における受信装置のブロック図である。
【０００９】
図１において、受信装置８は、第１アンテナ９及び第２アンテナ１０にそれぞれ接続され、これら第１アンテナ９及び第２アンテナ１０を用いて外部からの無線周波数の信号をダイバシティ受信する第１受信部１１及び第２受信部１２を備える。また、受信装置８は、これら第１受信部１１及び第２受信部１２から出力された中間周波数のＩＦ信号を復調する復調部１３を備える。なお、この受信装置を用いた電子機器（図示せず）は、復調部１３の出力側に接続された信号処理部（図示せず）と、この信号処理部の出力側に接続された液晶ディスプレイなどの表示部（図示せず）やスピーカなどの音声再生部（図示せず）を有している。
【００１０】
第１受信部１１は、無線周波数の信号が入力される第１アンテナ端子１４と、この第１アンテナ端子１４に接続された第１入力フィルタ（図示せず）と、第１高周波増幅器１５とを有する。さらに、第１受信部１１は、この第１高周波増幅器１５の出力側に接続された第１混合器１６と、この第１混合器１６の出力側に接続された第１フィルタ１７と、この第１フィルタ１７の出力側に接続された第１出力端子１８とを有する。さらにまた、第１受信部１１は、第１混合器１６の他の入力側に接続された第１局部信号発生部１９と、この第１局部信号発生部１９をＣＰＵ２０からの信号に基づいて制御する第１局部信号制御部２１とを有する。そして、第１局部信号発生部１９は、第１混合器１６に局部信号を供給する第１局部発振器２２と、この第１局部発振器２２にループ接続された第１ＰＬＬ（Ｐｈａｓｅ−Ｌｏｃｋｅｄ  Ｌｏｏｐ）２３とを有する。
【００１１】
同様に、第２受信部１２は、無線周波数の信号が入力される第２アンテナ端子２４と、この第２アンテナ端子２４に接続された第２入力フィルタ（図示せず）と、第２高周波増幅器２５とを有する。さらに、第２受信部１２は、この第２高周波増幅器２５の出力側に接続された第２混合器２６と、この第２混合器２６の出力側に接続された第２フィルタ２７と、この第２フィルタ２７の出力側に接続された第２出力端子２８とを有する。さらにまた、第２受信部１２は、第２混合器２６の他の入力側に接続された第２局部信号発生部２９と、この第２局部信号発生部２９をＣＰＵ２０からの信号に基づいて制御する第２局部信号制御部３０とを有する。そして、第２局部信号発生部２９は、第２混合器２６に局部信号を供給する第２局部発振器３１と、この第２局部発振器３１にループ接続された第２ＰＬＬ３２とを有する。
【００１２】
以下、具体的な受信状況を想定した受信装置８の動作について、図２を用いて説明する。図２は、本発明の実施の形態１における周波数スペクトル図である。
【００１３】
図２において、受信装置８が第１、第２アンテナ端子１４，２４からダイバシティ受信する無線周波数を「ωRF」とし、また、第１、第２局部信号発生部１９，２９から第１、第２混合器１６，２６に入力される局部信号１と局部信号２の周波数をそれぞれ第１周波数「ωLO1」と第２周波数「ωLO2」とする。さらに、第１混合器１６から出力されるＩＦ信号の第１中間周波数と、第２混合器２６から出力されるＩＦ信号の第２中間周波数とが同一の中間周波数「ωIF」である場合を想定する。
【００１４】
第１受信部１１の第１混合器１６は、第１局部発振器２２からアッパーローカルとなる局部信号１「ωLO1＝ωRF＋ωIF」を受け、無線周波数「ωRF」を中間周波数「ωIF」に変換する。そして、第２受信部１２の第２混合器２６は、第２局部発振器３１からローワーローカルとなる局部信号２「ωLO2＝ωRF−ωIF」を受け、無線周波数「ωRF」を中間周波数「ωIF」に変換する。このため、局部信号１と局部信号２の周波数差は「ωLO1−ωLO2＝ωIF×２」となる。
【００１５】
ここで、第１混合器１６及び第２混合器２６の出力信号となるＩＦ信号１ａ及びＩＦ信号２ａは、中間周波数「ωIF」と、局部信号１及び局部信号２の相互干渉によって発生したビートノイズの周波数「ωIF×２」とが重畳した信号となる。ここで発生したビートノイズの周波数「ωIF×２」は、中間周波数から十分に離れた中間周波数の２倍の周波数であることから、第１フィルタ１７及び第２フィルタ２７で容易に除去することが可能となる。従って、第１フィルタ１７と第２フィルタ２７とを、それぞれ第１混合器１６と第２混合器２６からの信号のうち中間周波数「ωIF」の信号を通過させると共に少なくとも中間周波数の２倍の周波数「ωIF×２」のビートノイズを減衰するフィルタ特性とすれば良い。
【００１６】
上記構成により、第１混合器１６に供給される局部信号と第２混合器２６に供給される局部信号との周波数差を、大きくすることができる。その為、第１混合器１６に供給される局部信号と第２混合器２６に供給される局部信号とがそれぞれ他方の第２混合器２６と第１混合器１６にノイズとして混入しても、発生するビートノイズを第１フィルタ１７や第２フィルタ２７で除去することが可能になり、受信装置８の受信性能を向上させることができる。また、第１、第２フィルタ１７，２７が低次数で低廉なフィルタ回路であっても、ビートノイズとなる周波数を十分に除去したＩＦ信号を出力することが可能であり、ダイバシティ受信をより小型な回路で実現させることができる。
【００１７】
なお、第１アンテナ端子１４と第１混合器１６との間に接続された第１入力フィルタ（図示せず）は、無線周波数に２倍の中間周波数を足した周波数「ωRF＋２ωIF」のイメージ妨害信号を減衰するフィルタであり、第２アンテナ端子２４と第２混合器２６との間に接続された第２入力フィルタ（図示せず）は、無線周波数から２倍の中間周波数を引いた周波数「ωRF−２ωIF」のイメージ妨害信号を減衰するフィルタであることが望ましい。これにより、第１、第２入力フィルタで、イメージ妨害信号を除去することができ、受信装置８の受信性能を向上させることができる。
【００１８】
また、第１受信部１１から出力されるＩＦ信号と第２受信部１２から出力されるＩＦ信号は、それぞれアッパーローカル及びローワーローカルによる出力信号であるので、お互いに周波数スペクトルが逆である。従って、これらのＩＦ信号を復調する復調部１３は、一方のＩＦ信号の周波数スペクトルを反転する機能を備えることが望ましい。これにより、第１受信部１１から出力されるＩＦ信号の周波数スペクトルと第２受信部１２から出力されるＩＦ信号の周波数スペクトルとを揃えることができる。
【００１９】
さらにまた、受信装置８は、第１受信部１１が受信した信号の受信品質と第２受信部１２が受信した信号の受信品質とを検出する検波部（図示せず）と、この検波部による検出結果に基づいて、第１受信部１１をアッパーローカル式周波数変換方法からローワーローカル式周波数変換方法に切り替えると共に第２受信部１２をローワーローカル式周波数変換方法からアッパーローカル式周波数変換方法に切り替える切替回路（図示せず）とを備えてもよい。これにより、各々の受信部１１，１２におけるイメージ妨害信号の有無により受信方法を切り替えることができるので、受信装置８の受信品質を向上させることができる。
【００２０】
なお、復調部１３は、第１受信部１１の出力側に接続された第１ＡＤ変換器（図示せず）と、第２受信部１２の出力側に接続された第２ＡＤ変換器（図示せず）とを備える。そして、これらのＡＤ変換器は、２倍の中間周波数「２ωIF」以外のサンプリング周波数のサンプリング信号によりアナログ信号をデジタル信号に変換することが望ましい。これにより、第１フィルタ１７や第２フィルタ２７で減衰しきれなかった、中間周波数の２倍の周波数「２ωIF」のビートノイズが、サンプリング信号に混入することによって起こる受信品質劣化を抑制することができる。
【００２１】
なお、第１受信部１１から出力されるＩＦ信号の第１中間周波数と第２受信部１２から出力されるＩＦ信号の第２中間周波数とは異なる周波数であっても構わない。この場合、第１フィルタ及び第２フィルタにおいて、減衰すべき周波数は、第１周波数と第２周波数との差の周波数「ωLO1−ωLO2」となる。さらにまた、この場合、第１ＡＤ変換器や第２ＡＤ変換器におけるサンプリング周波数を、第１周波数と前記第２周波数との差の周波数「ωLO1−ωLO2」以外の周波数にすることにより、ビートノイズがサンプリング信号に混入することを抑制することができる。
【００２２】
なお、第１混合器１６及び第２混合器２６は、各々のアンテナ９，１０からの信号の周波数を高める周波数変換を行っても良く、また、第１混合器１６及び第２混合器２６から出力された各々の第１ＩＦ信号をさらに第２ＩＦ信号へ周波数変換する混合器を備えても良い。
【００２３】
（実施の形態２）
以下、本発明の実施の形態２について図３を用いて説明する。なお、実施の形態１と同様の構成については、同一の符号をつけてその説明を省略し、相違点について詳述する。
【００２４】
図３は、本発明の実施の形態２における受信装置８のブロック図である。
【００２５】
実施の形態２は、実施の形態１における第１、第２混合器１６，２６を第１、第２イメージリジェクションミキサ３３，３４とし、これら第１、第２イメージリジェクションミキサ３３，３４を、各々が実施するＩＦ信号への周波数変換方法、つまり、アッパーローカルもしくはローワーローカルかによってイメージ除去方法を異ならせる構成とした点で実施の形態１と異なる。
【００２６】
図３において、第１受信部１１は、第１高周波増幅器１５の出力側に接続された第１イメージリジェクションミキサ３３を有し、第２受信部１２は、第２高周波増幅器２５の出力側に接続された第２イメージリジェクションミキサ３４を有する。
【００２７】
第１イメージリジェクションミキサ３３は、第１高周波増幅器１５の出力側に接続された２つの混合器３５，３６を備える。混合器３５は、第１高周波増幅器１５側から出力された受信信号と、第１局部信号発生部１９側から出力された局部信号ＬＯ１ｉを受ける。また、混合器３６は、第１高周波増幅器１５側から出力された受信信号と、局部信号ＬＯ１ｉに対し９０度の位相差を持った局部信号ＬＯ１ｑとを受ける。そして、これら２つの混合器３５，３６は、それぞれ中間周波数において位相差９０度となる２つのＩＦ信号１ｃ，１ｄを出力する。さらに、これらのＩＦ信号１ｃ，１ｄのうち、位相が９０度遅れている一方のＩＦ信号１ｄに９０度位相を進ませる移相処理が施され、この移相処理を施したＩＦ信号１ｅと、他方のＩＦ信号１ｃとを加算したＩＦ信号１ａが第１フィルタ１７に供給される。
【００２８】
同様に、第２イメージリジェクションミキサ３４は、第２高周波増幅器２５の出力側に接続された２つの混合器３７，３８を備える。混合器３７は、第２高周波増幅器２５側から出力された受信信号と、第２局部信号発生部３１側から出力された局部信号ＬＯ２ｉを受ける。また、混合器３８は、第２高周波増幅器２５側から出力された受信信号と、局部信号ＬＯ２ｉに対し９０度の位相差を持った局部信号ＬＯ２ｑとを受ける。そして、これら２つの混合器３７，３８は、それぞれ中間周波数において位相差９０度となる２つのＩＦ信号２ｃ，２ｄを出力する。さらに、これらのＩＦ信号２ｃ，２ｄのうち、位相が９０度進んだ一方のＩＦ信号２ｃに９０度位相をさらに進ませる移相処理が施され、この移相処理を施したＩＦ信号２ｅと、他方のＩＦ信号２ｄとを加算したＩＦ信号２ａが第２フィルタ２７に供給される。
【００２９】
次に、具体的な受信状況を想定した本発明の実施の形態２における受信装置８の動作について、図４を用いて説明する。
【００３０】
図４は、本発明の実施の形態２における周波数スペクトル図である。
【００３１】
図４において、受信装置８がダイバシティ受信する希望信号の周波数を「ωRF」、また、第１受信部１１にとってイメージ妨害信号となる周波数を「ωIM1」、第２受信部１２にとってイメージ妨害信号となる周波数を「ωIM2」としている。さらにまた、局部信号１及び局部信号２の周波数を、それぞれ第１周波数「ωLO1」及び第２周波数「ωLO2」としている。なお、第１受信部１１は、第１アンテナ端子１４から受信する希望信号「ωRF」をアッパーローカルの第１周波数「ωLO1」でＩＦ信号「ωIF」に変換するため、これらの信号の周波数関係は「ωIM1−ωLO1＝ωLO1−ωRF＝ωIF」となる。また、第２受信部１２は、第２アンテナ端子２４から受信する希望信号「ωRF」をローワーローカルの第２周波数「ωLO2」でＩＦ信号「ωIF」に変換するため、これらの信号の周波数関係は「ωLO2−ωIM2＝ωRF−ωLO2＝ωIF」となる。
【００３２】
そして、第１受信部１１において、第１アンテナ端子１４から入力される受信信号ＲＦ１、第１局部信号発生部１９から混合器３５，３６にそれぞれ供給される局部信号ＬＯ１ｉ、ＬＯ１ｑは、次に示す（数１）、（数２）、（数３）で表される。
【００３３】
【数１】
0004735312.tif 000002
【００３４】
【数２】
0004735312.tif 000003
【００３５】
【数３】
0004735312.tif 000004
【００３６】
なお、（数１）における第１項は希望信号を示し、第２項はイメージ妨害信号を示す。
【００３７】
また、（数２）は、局部信号１の位相を９０度進めた信号を示し、（数３）は、局部信号１と同位相の信号を示す。なお、局部信号１から同一周波数で位相差を９０度とするＬＯ１ｉ及びＬＯ１ｑを生成する手段として、ポリフェーズフィルタや、分周回路といった移相回路を用いる。
【００３８】
そして、混合器３５，３６から出力されるＩＦ信号１ｃ，１ｄは、下記（数４）、（数５）で示される。
【００３９】
【数４】
0004735312.tif 000005
【００４０】
【数５】
0004735312.tif 000006
【００４１】
なお、（数４）及び（数５）は、簡単化のため、高周波成分を無視して示されている。
【００４２】
続いて、第１イメージリジェクションミキサ３３は、２つの混合器が出力するＩＦ信号１ｃ，１ｄのうち、位相が９０度遅れている一方のＩＦ信号１ｄ（数５）をポリフェーズフィルタ等の移相回路によって位相を９０度進ませて、ＩＦ信号１ｅ（数６）として出力する。さらに、このＩＦ信号１ｅ（数６）にＩＦ信号１ｃ（数４）を加算したＩＦ信号１ａ（数７）を第１フィルタ１７へ出力する。
【００４３】
ここで、（数４）及び（数６）の第１項は中間周波数における希望信号を示し、また、第２項は中間周波数におけるイメージ妨害信号を示している。
【００４４】
【数６】
0004735312.tif 000007
【００４５】
【数７】
0004735312.tif 000008
【００４６】
（数７）に示す通り、第１イメージリジェクションミキサ３３は、アッパーローカルによるＩＦ信号であるωIF1を出力し、さらにまた、受信信号ＲＦ１からイメージ妨害信号を除去することが可能である。
【００４７】
また、第２受信部１２において、第２アンテナ端子２４から入力される受信信号ＲＦ２、第２局部信号発生部２９から混合器３７，３８にそれぞれ供給される局部信号をＬＯ２ｉ、ＬＯ２ｑは、次に示す（数８）、（数９）、（数１０）で表される。
【００４８】
【数８】
0004735312.tif 000009
【００４９】
【数９】
0004735312.tif 000010
【００５０】
【数１０】
0004735312.tif 000011
【００５１】
そして、混合器３７，３８から出力されるＩＦ信号２ｃ，２ｄは、下記（数１１）、（数１２）で示される。
【００５２】
【数１１】
0004735312.tif 000012
【００５３】
【数１２】
0004735312.tif 000013
【００５４】
なお、（数１１）及び（数１２）は、簡単化のため、高周波成分を無視して示されている。
【００５５】
続いて、第２イメージリジェクションミキサ３４は、２つの混合器が出力するＩＦ信号２ｃ，２ｄのうち、位相が９０度進んでいる一方のＩＦ信号２ｃ（数１１）をポリフェーズフィルタといった移相回路によって位相を９０度進ませて、ＩＦ信号２ｅ（数１３）として出力する。さらに、このＩＦ信号２ｅ（数１３）にＩＦ信号２ｄ（数１１）を加算したＩＦ信号２ａ（数１４）を第２フィルタ２７に出力する。
【００５６】
ここで、（数１１）及び（数１３）の第１項は中間周波数における希望信号を示し、また、第２項は中間周波数におけるイメージ妨害信号を示している。
【００５７】
【数１３】
0004735312.tif 000014
【００５８】
【数１４】
0004735312.tif 000015
【００５９】
（数１４）に示す通り、第２イメージリジェクションミキサ３４は、ローワーローカルによるＩＦ信号であるωIF2を出力し、また、受信信号ＲＦ２からイメージ妨害信号を除去することが可能である。
【００６０】
以上のように、第１受信部１１において、第１イメージリジェクションミキサ３３は無線周波数の希望信号をアッパーローカルでＩＦ信号に変換することから、無線周波数の希望信号とイメージ妨害信号の周波数関係が希望信号＜イメージ妨害信号となる。そこで、第１イメージリジェクションミキサ３３内の２つの混合器３５，３６が出力するＩＦ信号１ｃ，１ｄのうち、位相が９０度遅れた一方のＩＦ信号１ｄに対し位相を９０度進ませて他方のＩＦ信号１ｃと足し合わせることにより、（数１）〜（数７）に示すように、第１イメージリジェクションミキサ３３は、イメージ妨害の小さいＩＦ信号１ａを出力することができ、受信装置８の受信性能を向上させることができる。
【００６１】
一方、第２受信部１２において、第２イメージリジェクションミキサ３４は無線周波数の希望信号をローワーローカルでＩＦ信号に変換することから、無線周波数の希望信号とイメージ妨害信号の周波数関係が希望信号＞イメージ妨害信号となる。そこで、第２イメージリジェクションミキサ３４内の２つの混合器３７，３８が出力するＩＦ信号２ｃ，２ｄのうち、位相が９０度進んだ一方のＩＦ信号２ｃへさらに位相を９０度進ませて他方のＩＦ信号２ｄと足し合わせることにより、（数８）〜（数１４）に示すように、第２イメージリジェクションミキサ３４は、イメージ妨害の小さいＩＦ信号２ａを出力することができ、受信装置８の受信性能を向上させることができる。
【００６２】
また、図１の第１、第２混合器１６，２６の前段に設けられていた第１、第２入力フィルタ（図示せず）は、無線周波数の信号からイメージ妨害信号を除去する必要性が低減し、特性を緩和させた低次数で低廉なフィルタ回路を用いることができる。その結果、ダイバシティ受信をより小型な回路で実現させることができる。
【００６３】
なお、第１イメージリジェクションミキサ３３内の２つの混合器３５，３６に局部信号を供給する移相器３９を、第１局部信号発生部１９からの局部信号を９０度進めるか９０度遅らすかを切替え可能としてもよい。また同様に、第２イメージリジェクションミキサ３４内の２つの混合器３７，３８に局部信号を供給する移相器４０を、第２局部信号発生部２９からの局部信号を９０度進めるか９０度遅らすかを切替え可能としてもよい。これにより、第１受信部１１および第２受信部１２を、アッパーローカル専用もしくはローワーローカル専用に限定することなく汎用の受信部とすることができる。
【００６４】
また、第１イメージリジェクションミキサ３３において、混合器３６の出力側にのみ９０度位相を進める移相器を接続した構成を説明したが、例えば、混合器３５の出力側に４５度位相を遅らす移相器を接続すると共に混合器３６の出力側に４５度位相を進める移相器を接続しても構わない。この構成でも、第１イメージリジェクションミキサ３３は、イメージ妨害の小さいＩＦ信号１ａを出力することができ、受信装置８の受信性能を向上させることができる。
【００６５】
また、第２イメージリジェクションミキサ３４において、混合器３７の出力側にのみ９０度位相を進める移相器を接続した構成を説明したが、例えば、混合器３８の出力側に４５度位相を遅らす移相器を接続すると共に混合器３８の出力側に４５度位相を進める移相器を接続しても構わない。この構成でも、第２イメージリジェクションミキサ３４は、イメージ妨害の小さいＩＦ信号２ａを出力することができ、受信装置８の受信性能を向上させることができる。
【産業上の利用可能性】
【００６６】
本発明の受信装置は、受信性能を向上させることができ、携帯端末や車載用テレビ放送受信機器等の電子機器に利用することができる。
【図面の簡単な説明】
【００６７】
【図１】本発明の実施の形態１における受信装置のブロック図
【図２】本発明の実施の形態１における周波数スペクトル図
【図３】本発明の実施の形態２における受信装置のブロック図
【図４】本発明の実施の形態２における周波数スペクトル図
【図５】従来の受信装置のブロック図
【符号の説明】
【００６８】
１  従来の受信装置
２  従来の第１受信部
３  従来の第２受信部
４  従来の第１混合器
５  従来の第２混合器
６  従来の第１フィルタ
７  従来の第２フィルタ
８  受信装置
９  第１アンテナ
１０  第２アンテナ
１１  第１受信部
１２  第２受信部
１３  復調部
１４  第１アンテナ端子
１５  第１高周波増幅器
１６  第１混合器
１７  第１フィルタ
１８  第１出力端子
１９  第１局部信号発生部
２０  ＣＰＵ
２１  第１局部信号制御部
２２  第１局部発振器
２３  第１ＰＬＬ
２４  第２アンテナ端子
２５  第２高周波増幅器
２６  第２混合器
２７  第２フィルタ
２８  第２出力端子
２９  第２局部信号発生部
３０  第２局部信号制御部
３１  第２局部発振器
３２  第２ＰＬＬ
３３  第１イメージリジェクションミキサ
３４  第２イメージリジェクションミキサ
３５，３６，３７，３８  混合器
【図１】
0004735312.tif 000016
【図２】
0004735312.tif 000017
【図３】
0004735312.tif 000018
【図４】
0004735312.tif 000019
【図５】
0004735312.tif 000020